(57)【要約】【課題】浴室における洗い場に、足湯場を有する床構造を提供する【解決手段】洗い場を備えた床パン１を浴室２の床面に設置して成る浴室洗い場の床構造であり、入浴者の足を収容可能な足湯槽３を洗い場に設置した。【選択図】図１
2009174276.tif 000002
【特許請求の範囲】
【請求項１】
洗い場を備えた床パンを浴室の床面に設置して成る浴室洗い場の床構造であって、入浴者の足を収容可能な足湯槽が洗い場に設置して成ることを特徴とする浴室洗い場の床構造。
【請求項２】
浴室の洗い場の壁面に設置されるカウンタを有する浴室洗い場の床構造であって、前記カウンタの下方に足湯槽を設置して成ることを特徴とする請求項１記載の浴室洗い場の床構造。
【請求項３】
壁面近傍を中心として回動する前記カウンタを有することを特徴とする請求項２記載の浴室洗い場の床構造。
【発明の詳細な説明】
【技術分野】
【０００１】
本発明は、浴室に設置する浴室洗い場の床構造に関するものである。
【背景技術】
【０００２】
従来から、足湯は入浴に比べて体に与える負担が少ないものであり、一方で有効に体を温める効果を有し、健康を保つ上で効果が高いことが知られている。
【０００３】
ところで、浴室は浴槽と洗い場側床パンとからなるものが知られており（例えば特許文献１参照）、図７に示すように洗い場側床パン１２’は、洗い場としての使用のみを考慮されているものとなっていた。（図中の４’はカウンタを示す）
【特許文献１】特開２００４−５２２１９号公報
【発明の開示】
【発明が解決しようとする課題】
【０００４】
本発明は、上記従来の問題に鑑みて発明したものであって、その目的とするところは、浴室における洗い場に、足湯場を有する床構造を提供することを課題とするものである。
【課題を解決するための手段】
【０００５】
上記課題を解決するために請求項１に係る発明にあっては、洗い場を備えた床パン１を浴室２の床面に設置して成る浴室洗い場の床構造であって、入浴者の足を収容可能な足湯槽３が洗い場に設置して成ることを特徴とするものである。
【０００６】
このような構成とすることで、浴室２において足湯を実施することが可能となるものである。
【０００７】
また、請求項２に係る発明は、請求項１に係る発明において、浴室２の洗い場の壁面２１に設置されるカウンタ４を有する浴室洗い場の床構造であって、前記カウンタ４の下方に足湯槽３を設置して成ることを特徴とするものである。
【０００８】
このような構成とすることで、従来はデッドスペースであったカウンタ４の下方を足湯場として有効に活用することが可能となるものである。
【０００９】
また、請求項３に係る発明は、請求項２に係る発明において、壁面２１近傍を中心として回動する前記カウンタ４を有することを特徴とするものである。
【００１０】
このような構成とすることで、足湯場使用時にカウンタ４と入浴者Ｍの足部が干渉することを防止し、また、洗い場のスペースの拡大を図り、より一層スペースを有効に活用することが可能となるものである。
【発明の効果】
【００１１】
本発明にあっては、浴室に足湯場を設置することによって、いつでも簡単に足湯を実施することで、より一層健康増進を図ることが可能となるものである。
【発明を実施するための最良の形態】
【００１２】
以下、本発明について添付図面に基づいて説明する。
【００１３】
浴室２となるスペースの床面２０上に床パン１を設置し、床パン１の周縁部から上方にパネルからなる壁２１を立設し、壁２１の上端部に天井２２を載設して浴室２が形成してある。床パン１は、浴槽側床パン１１と洗い場側床パン１２とを備えており、浴槽側床パン１１に浴槽５を設置すると共に、浴槽５の洗い場側の上端部のフランジ部５１から、浴槽側床パン１１と洗い場側床パン１２との境界部分にかけてエプロン６を着脱自在に設置している。床パン１の浴槽側床パン１１と洗い場側床パン１２とが別体である場合には、エプロン６は、浴槽５の洗い場側のフランジ部５１と、浴槽側床パン１１の洗い場側の端縁との間の上下間であって、浴室２の両端の壁２１間の全長に亘ってエプロン６を設置するものである。また、床パン１の浴槽側床パン１１と洗い場側床パン１２とが一体である場合には、エプロン６は、浴槽側床パン１１と洗い場側床パン１２の境界部分の堰部の上端部と、浴槽５の洗い場側のフランジ部５１との間の上下間であって前記壁２１間の全長に亘ってエプロン６を設置するものである。
【００１４】
上記浴室２において、壁２１に近接する位置であって、洗い場側床パン１２に深さ３００ｍｍ程度の足湯槽３が形成されている。本実施形態では、その足湯槽３側の壁２１にはカウンタ４が設置されており、その上方には混合水栓２３が配設されている。該足湯槽３は、そのカウンタ４下方に位置し、洗い場側床パン１２の全幅に亘って形成するか、あるいは入浴者Ｍの足が収容できる程度の幅で形成されている。該足湯槽３の奥行きは、略３００ｍｍ程度で形成されており、洗い場側床パン１２と一体か、あるいは別体によるものか、のいずれの構造であってもよいが、工事据付時における作業者の作業性を考えれば、一体で構成されているほうが好ましい。また、洗い場側床パン１２と足湯槽３の境界部分には、洗い場側床パン１２からの湯水の流入を防止するための堰１３を設けてある。
【００１５】
足湯槽３への給湯又は給水（以下、まとめて給湯という）は、カウンタ上方に配設される混合水栓２３か、又は、足湯槽３の側面に設けた給水口３１から行う。この足湯槽３の側面（本実施形態では、足湯槽の浴槽側の側面）に設けた給水口３１は、浴槽用水栓を浴槽５の壁面外側とフランジ部５１とエプロン６で囲まれる隙間内で分岐することによって接続される。入浴者Ｍは自己の足部を給湯された足湯槽３に入れることで足部を加温することができ、有効に体を温めるという効果を得ることができる。
【００１６】
本実施形態では、足湯槽３を足湯場として使用することを前提としているが、仮に足湯場として使用しなくとも、入浴者Ｍが洗い場側床パン１２上に風呂椅子Ｂを載置し使用する場合に、その入浴者Ｍの足部を足湯槽３に入れることで、入浴者Ｍの膝の位置を下げることができ、長時間座っていても腰に与える負担を軽減するという効果も得ることができる。
【００１７】
また、足湯槽３の上方には前記カウンタ４が配設されており、該カウンタ４は、壁２１に固定して配設されているか、或いは、固定部４１と回動部４２とからなるカウンタ４であって、その固定部４１を壁２１に固設し、回動部４２が回動する構成となっていてもよい。スペースを確保するという観点からすれば、回動する構成を有するカウンタ４のほうが優れているといえる。また、足湯槽３に足部を入れる際にカウンタ４が邪魔になるという問題も同時に解消することができる。
【００１８】
固定部４１と回動部４２とからなる前記カウンタ４は、該カウンタ４の略両端及びカウンタ４中央に壁２１に固設された固定部４１を設け、その固定部４１と回動部４２が軸支連結している。本実施形態では、両側端及び中央の計３箇所で固定しているが、本実施形態に限定されることなく、カウンタ４の幅方向の長さ（浴槽５と浴槽に対向する壁２１間方向の長さ）によって適宜変更することができる。そして、該カウンタ４の回動部４２は板面を水平状態に保てるように壁２１から略直角を保った状態で固定することができる。
【００１９】
本実施形態では、該カウンタ４の略両端及び中央部に、略直角三角形状の板である支持板４３の直角部に隣接する辺を該カウンタ４の裏面か、若しくは壁面２１の該カウンタ４直近下部に回動自在に取り付け、該カウンタ４使用時には、カウンタから支持板４３が垂下した状態になるように該支持板４３を壁２１と直角になるように起こし、カウンタ４の回動部４２の板面が水平状態になるように支持できる。該カウンタ４収納時には、該支持板４３を左右のいずれかに回動させ、該カウンタ４の回動部４２を壁２１に沿うように伏せるようにする。そうすることにより支持板４３をカウンタ４内に収納することができ、外観を損なうこともない。
【００２０】
足湯槽３の底面３２には、排水口３３が形成される。この排水口３３の位置は特に定められるものではないが、排水口３３を最低部とし、排水口３３に向かって１/５０程度の勾配を設けることが好ましい。これによって、排水の際の足湯槽３底面３２への湯残りを防止し効率的な排水処理が可能となる。そして、該排水口３３下部には排水トラップ７を設置し、排水配管からの悪臭やガスの流入を防いでいる。
【００２１】
本実施形態における、排水トラップ７の構成を説明する。該排水トラップ７は、本体ケーシング７１と上内筒部７２とから構成される。該本体ケーシング７１は側面中段部に流出口筒部７３を備え、足湯槽３底面３２下部に一体に形成されるか、若しくは別体にて配設されている。該上内筒部７２は、足湯槽３底面３２から下方に突出して該本体ケーシング７１内に挿入されており、該上内筒部７２は少なくとも前記流出口筒部７３の内周壁の最下部よりも下部に位置する高さにまで突出している。そうすることで、該流出口筒部７３の内周壁の最下部を液面上面とする封水部７４を形成し、該封水部７４にて該流出口筒部７３に接続された排水管からの悪臭等の流入を防ぐことができるのである。
【００２２】
また、上記排水口３３には開閉自在の栓８が設置され、該排水口３３を該栓８にて封栓することで、該足湯槽３に湯水を貯めることができる。
【００２３】
別の実施形態として図５及び６に示すように、足湯槽３に隣接するように排水溝１４を設置し、その排水溝１４の足湯槽３側の側壁上端を足湯槽３外縁の最上端よりも下方に位置する高さに設け、その壁高さにて足湯槽３の排水溝１４側壁面まで連通させる。そうすることで、足湯槽３内の湯水を排水溝１４内にオーバーフローさせることができるようになる。
【００２４】
そして該排水溝１４の底面の一部に排水口及び前記排水トラップ７を設け、足湯槽３底面３２に設置された排水トラップ７の設置していない排水口３３から、該排水溝１４底面に設置された前記排水トラップ７の本体ケーシング７１側面下部に足湯槽用配管１５を接続する。この接続位置は、足湯槽３からの配管の内周壁の最上部が該本体ケーシング７１における前記流出口筒部７３の内周壁の最下部よりも下に位置する高さに接続してある。そうすることで、足湯槽用配管１５内に封水部７４を形成することができ、上述した排水トラップ７による効果を得つつ、合流した排水溝１４及び足湯槽３からの排水が排水トラップ７を介して前記流出口筒部７３から排水することが可能である。
【００２５】
該排水溝１４の前記上内筒部７２上方には、異物の流出を防ぐための目皿９を設置することが望ましい。また、本実施形態においても足湯槽３底面に設けられた排水口３３には、前記栓８が配設される。
【００２６】
上記のような構成によれば、足湯槽３から洗い場側床パン１２に湯が流出するのを防ぐことができるという効果に加え、湯を加え続けた場合は湯水に浮遊した塵を排水溝１４に流すことができるので足湯槽３内の湯水を綺麗に保つことができる。
【図面の簡単な説明】
【００２７】
【図１】本発明の一実施形態の断面図である。
【図２】同上の平面図である。
【図３】浴室の全体分解斜視図である。
【図４】同上の要部断面図である。
【図５】他の実施形態の要部断面図である。
【図６】同上の平面図である。
【図７】従来例の断面図である。
【符号の説明】
【００２８】
１      床パン
２      浴室
３      足湯槽
４      カウンタ
５      浴槽
６      エプロン
７      排水トラップ
８      栓
９      目皿
Ｍ      入浴者
Ｂ      風呂椅子
【図１】
2009174276.tif 000003
【図２】
2009174276.tif 000004
【図３】
2009174276.tif 000005
【図４】
2009174276.tif 000006
【図５】
2009174276.tif 000007
【図６】
2009174276.tif 000008
【図７】
2009174276.tif 000009